(57)【要約】      （修正有）【課題】経穴をピンポイントに指圧することができる指圧器具を提供する。【解決手段】指圧器具１は、シート状の装着体２と、指圧体３とを備えている。装着体２は、長手方向の第１端部に厚さ方向に貫通された第１の径を有する第１貫通穴２１１と、第１端部において第１貫通穴２１１の周囲に沿って厚さ方向に貫通された複数の第２貫通穴２１２〜２１４と、長手方向の第２端部に厚さ方向に貫通された第３貫通穴２２１とを有する。指圧体３は、第１の径よりも大きな第２の径を有する基底部３１と、基底部３１に立設して第１貫通穴２１１に挿通可能に設けられた突起部３２とを有する。【選択図】図１
0003231111.tif 000002
【実用新案登録請求の範囲】
【請求項１】
長手方向の第１端部において厚さ方向に貫通する第１の径を有する第１貫通穴と、前記長手方向の第１端部において前記第１貫通穴の周囲に沿って前記厚さ方向に貫通する複数の第２貫通穴と、前記長手方向の第２端部において前記厚さ方向に貫通する第３貫通穴と、を有するシート状の装着体と、
前記第１の径よりも大きな第２の径を有する基底部と、前記基底部に立設して前記第１貫通穴に挿通可能に設けられた突起部と、を有する指圧体と
を備えた指圧器具。
【請求項２】
前記装着体は、前記長手方向における前記第１端部と前記第２端部との間の中間部に、前記長手方向の長さを伸縮可能とする長さ調整部を有する
請求項１に記載の指圧器具。
【請求項３】
前記長さ調整部の厚さは、前記装着体の前記長手方向の前記第１端部の厚さ及び前記第２端部の厚さの双方よりも薄い
請求項２に記載の指圧器具。
【請求項４】
前記長さ調整部には前記装着体の前記厚さ方向に貫通された第４貫通穴が配設されている
請求項２又は請求項３に記載の指圧器具。
【請求項５】
前記長さ調整部の幅は、前記装着体の前記長手方向の前記第１端部の幅に比し、狭い
請求項２から請求項４のいずれか１項に記載の指圧器具。
【請求項６】
前記装着体の前記第１端部は、前記第１貫通穴を取り囲む周辺部分と、前記周辺部分以外のベース部分とを含み、
前記周辺部分の厚さは、前記ベース部分の厚さよりも薄い
請求項１から請求項５のいずれか１項に記載の指圧器具。
【請求項７】
前記周辺部分の厚さは、前記第１貫通穴の開口縁に近づくほど薄くなっており、
前記周辺部分の表面は前記ベース部分の表面に対して傾斜し、前記周辺部分の裏面は前記ベース部分の裏面に対して傾斜し、又は、前記周辺部分の表面及び裏面は前記ベース部分の表面及び裏面に対して傾斜している
請求項６に記載の指圧器具。
【請求項８】
前記指圧体は、半球形状又は円錐台形状の先端部分を含む
請求項１から請求項７のいずれか１項に記載の指圧器具。
【請求項９】
芯材をさらに備え、
前記指圧体は、前記基底部の表面から前記突起部に至るまで延在する穴をさらに有し、
前記芯材は、前記指圧体の前記穴に挿入されている
請求項１から請求項８のいずれか１項に記載の指圧器具。
【請求項１０】
前記指圧体の前記突起部は、前記第１の径よりも大きく、前記第２の径よりも小さい第３の径を有する
請求項１から請求項９のいずれか１項に記載の指圧器具。
【請求項１１】
前記第３貫通穴の周囲であって、前記装着体の前記長手方向の前記第２端部には、前記装着体を掴む掴み部が配設されている
請求項１から請求項１０のいずれか１項に記載の指圧器具。
【請求項１２】
前記装着体は、軟質プラスチック又は不織布により形成されている
請求項１から請求項１１のいずれか１項に記載の指圧器具。
【請求項１３】
前記指圧体は、木材、硬質プラスチック、軟質プラスチック又は金属により形成されている
請求項１から請求項１２のいずれか１項に記載の指圧器具。
【考案の詳細な説明】
【技術分野】
【０００１】
本開示は、指圧器具に関する。
【背景技術】
【０００２】
下記特許文献１には、美容及びマッサージ用シルク手袋が開示されている。このシルク手袋では、内側の５本の指の第１関節部に上面が半球状をしたシリコーンゴム製の小突起体が突設されている。小突起体は複数個間隔を有して形成されている。上記シルク手袋では、小突起体による刺激を利用した摩擦によるマッサージによって、血流を促進し、リンパの流れを整える等の美容効果及びマッサージ効果が期待される。
【先行技術文献】
【特許文献】
【０００３】
【特許文献１】特開２０１５−２２８８８５号公報
【考案の概要】
【考案が解決しようとする課題】
【０００４】
ところで、上記シルク手袋では、小突起体による刺激を利用した摩擦によるマッサージとしては適しているが、肩、腰等の経穴（ツボ）をピンポイントとして指圧するには改善の余地があった。
【０００５】
本開示は、経穴をピンポイントに指圧することができる指圧器具を提供する。
【課題を解決するための手段】
【０００６】
本開示の第１の実施態様に係る指圧器具は、シート状の装着体と、指圧体とを備える。装着体は、長手方向の第１端部において厚さ方向に貫通する第１の径を有する第１貫通穴と、長手方向の第１端部において第１貫通穴の周囲に沿って厚さ方向に貫通する複数の第２貫通穴と、長手方向の第２端部において厚さ方向に貫通する第３貫通穴と、を有する。指圧体は、第１の径よりも大きな第２の径を有する基底部と、基底部に立設して第１貫通穴に挿通可能に設けられた突起部と、を有する。
【０００７】
本開示の第１の実施態様に係る指圧器具では、装着体に第１貫通穴を通して指圧体が取り付けられる。この指圧器具は例えば右手又は左手の一方に装着される。手の幾つかの指が第２貫通穴に通されると、装着体の第１端部が指圧体の基底部を介在させて手の平に配置される。装着体の第２端部を手の甲に巻き回し、第３貫通穴にいずれかの指を通すと、装着体が手に巻き付けられて手に装着され、指圧体の突起部が手の平から突出する状態とされる。突起部が経穴に当てられ、手に力を加えると、経穴を指圧することができる。
【０００８】
本開示の第１の実施態様に係る指圧器具では、装着体は、長手方向における第１端部と第２端部との間の中間部に、長手方向の長さを伸縮可能とする長さ調整部を有するようにしてもよい（第２の実施態様）。
第２の実施態様に係る指圧器具によれば、長さ調整部は装着体の長手方向の長さを伸縮可能としているので、手の大きさに対応させて装着体の長手方向の長さを調整することができ、装着体を手にフィットさせることができる。
【０００９】
本開示の第２の実施態様に係る指圧器具では、長さ調整部の厚さが、装着体の長手方向の第１端部の厚さ及び第２端部の厚さの双方よりも薄くてもよい（第３の実施態様）。
第３の実施態様に係る指圧器具によれば、長さ調整部の厚さが薄く形成されるので、装着体の第１端部及び第２端部に比し、長さ調整部では長手方向の長さが容易に伸縮可能になる。
【００１０】
本開示の第２の実施態様及び第３の実施態様に係る指圧器具では、長さ調整部には装着体の厚さ方向に貫通された第４貫通穴が配設されていてもよい（第４の実施態様）。
第４の実施形態に係る指圧器具によれば、長さ調整部に第４貫通穴が配設されているので、装着体の長手方向の第１端部及び第２端部に比し、長さ調整部では長手方向の長さが容易に伸縮可能になる。
【００１１】
本開示の第２から第４の実施態様に係る指圧器具では、長さ調整部の幅が、装着体の長手方向の第１端部の幅に比し、狭くてもよい（第５の実施態様）。
第５の実施形態に係る指圧器具によれば、長さ調整部の幅が狭く形成されているので、装着体の長手方向の第１端部に比し、長さ調整部では長手方向の長さが容易に伸縮可能になる。
【００１２】
本開示の第１から第５の実施態様に係る指圧器具では、装着体の第１端部が第１貫通穴を取り囲む周辺部分とその周辺部分以外のベース部分とを含み、周辺部分の厚さがベース部分の厚さよりも薄くてもよい（第６の実施態様）。
本開示の第６の実施態様に係る指圧器具によれば、第１貫通穴を取り囲む周辺部分が薄く形成されているので、周辺部分を変形させ易く、第１貫通穴に指圧体を取り付け易くすることができる。
【００１３】
本開示の第６の実施態様に係る指圧器具では、周辺部分の厚さが第１貫通穴の開口縁に近づくほど薄くなっており、周辺部分の表面がベース部分の表面に対して傾斜し、周辺部分の裏面がベース部分の裏面に対して傾斜し、又は、周辺部分の表面及び裏面がベース部分の表面及び裏面に対して傾斜していてもよい（第７の実施態様）。
第７の実施態様に係る指圧器具によれば、装着体の第１貫通穴の周辺部分の厚さが第１貫通穴に近づくほど薄く形成され、周辺部分の表面、裏面の少なくとも一方が傾斜しているので、装着体の第１貫通穴へ指圧体を案内する構造が形成される。このため、指圧体が第１貫通穴を通して装着体にスムーズに取り付けられる。
【００１４】
本開示の第１から第７の実施態様に係る指圧器具では、指圧体が、半球形状又は円錐台形状の先端部分を含むようにしてもよい（第８の実施態様）。第８の実施態様に係る指圧器具によれば、指圧体は先端部分を半球形状又は円錐台形状に形成しているので、指圧体の基底部に加えた力が経穴に指圧力として効果的に伝えられる。
【００１５】
本開示の第１から第８の実施態様に係る指圧器具では、芯材をさらに備え、指圧体が、基底部の表面から突起部に至るまで延在する穴をさらに有し、芯材が、指圧体の穴に挿入されていてもよい（第９の実施態様）。
第９の実施態様に係る指圧器具によれば、指圧体は、基底部に穴を有し、この穴に芯材を挿入しているので、芯材により指圧体の機械的強度を向上させることができる。
例えば、木目模様、色合い、香り等を醸し出せる木材を用いて指圧体を形成し、芯材に木材に比し機械的強度が高いプラスチックや金属を使用すれば、全体として指圧体の機械的強度を向上させることができる。
【００１６】
本開示の第１から第９の実施態様に係る指圧器具では、指圧体の突起部が、第１の径よりも大きく第２の径よりも小さい第３の径を有するようにしてもよい（第１０の実施態様）。
第１０の実施態様に係る指圧器具によれば、指圧体の突起部の第３の径が、第１の径よりも大きく、第２の径よりも小さいので、突起部を第１貫通穴の縁に嵌め込み、指圧体を装着体に簡単に保持することができる。
【００１７】
本開示の第１から第１０の実施態様に係る指圧器具では、第３貫通穴の周囲であって、装着体の長手方向の第２端部に、装着体を掴む掴み部が配設されていてもよい（第１１の実施態様）。
第１１の実施態様に係る指圧器具によれば、第３貫通穴の周囲であって装着体の長手方向の第２端部に掴み部が配設されているので、掴み部を掴んで装着体の第２端部の装着操作を容易に行うことができる。
例えば、装着体の第２端部を手の甲に巻き回し、第３貫通穴にいずれかの指を通す操作が、掴み部を利用して容易に行える。
【００１８】
本開示の第１から第１１の実施態様に係る指圧器具では、装着体が、軟質プラスチック又は不織布により形成されていてもよい（第１２の実施態様）。
第１２の実施態様に係る指圧器具によれば、装着体が軟質プラスチック又は不織布により形成されているので、装着体は適度な弾力性を有し、例えば手にフィットさせた状態において装着体を装着させることができる。
また、軟質プラスチック又は不織布は、安価な材料であり、加工性にも優れているので、指圧器具の製作費用を減少させることができ、指圧器具の量産化を図ることができる。
【００１９】
本開示の第１〜第１２の実施態様に係る指圧器具では、指圧体が、木材、硬質プラスチック、軟質プラスチック又は金属により形成されていてもよい（第１３の実施態様）。
第１３の実施態様に係る指圧器具によれば、指圧体が木材により形成されることにより、指圧体に木目模様、色合い、香り等を醸し出せるので、指圧効果を向上させることができる。
また、指圧体が硬質プラスチック、軟質プラスチック又は金属により形成されることにより、安価な材料であり、加工性にも優れているので、指圧器具の製作費用を減少させることができ、指圧器具の量産化を図ることができる。
【考案の効果】
【００２０】
本開示の指圧器具によれば、経穴をピンポイントに指圧することができる。
【００２１】
なお、本開示の効果は、これに限定されるものではなく、以下の記載の効果であってもよい。
【図面の簡単な説明】
【００２２】
【図１】本開示の第１実施の形態に係る指圧器具の全体構成を示す斜視図である。
【図２】図１に示される指圧器具の平面図である。
【図３】図２に示される指圧器具をＡ−Ａ切断線において切断した断面図である。
【図４Ａ】図１に示される指圧器具に取り付けられる指圧体の平面図である。
【図４Ｂ】図４Ａに示される指圧体を中心部分において切断した断面図である。
【図５Ａ】図４Ａ及び図４Ｂに示される指圧体に挿入される芯材の平面図である。
【図５Ｂ】図５Ａに示される芯材の断面図である。
【図６】図５Ａ及び図５Ｂに示される芯材を挿入した状態における、図４Ｂに対応する指圧体の断面図である。
【図７】図３に示される指圧器具の装着体の、破線により囲まれた部位の拡大断面図である。
【図８】図７に示される装着体の第１貫通穴に図６に示される指圧体を取り付けた状態を示す要部断面図である。
【図９】図１に示される指圧器具を右手に装着した状態を示す装着概略図である。
【図１０】本開示の第２実施の形態に係る指圧器具に取り付けられる指圧体の図６に対応する断面図である。
【考案を実施するための形態】
【００２３】
以下、本開示の実施の形態について図面を参照して詳細に説明する。なお、説明は以下の順序で行う。
１．第１実施の形態
本開示の実施の形態に係る指圧器具の全体構成、並びに各構成要素となる装着体及び指圧体の詳細な構成の例。
２．第２実施の形態
本開示の実施の形態に係る指圧器具の指圧体の別の例。
【００２４】
ここで、実施の形態の説明において、図中、適宜示される矢印Ｘ方向は指圧器具の装着体の長手方向を示し、矢印Ｙ方向は便宜的に平面上において矢印Ｘ方向に対して直交する装着体の幅方向（短手方向）を示している。矢印Ｚ方向は矢印Ｘ方向及び矢印Ｙ方向に対して直交する装着体の厚さ方向を示している。これらの各方向は、丁度、三次元座標軸のＸ軸方向、Ｙ軸方向、Ｚ軸方向のそれぞれに一致している。
なお、本開示の実施の形態において、これらの方向は、説明の理解を助けるものであって、本開示の指圧器具の構成方向を限定するものではない。
【００２５】
＜１．第１実施の形態＞
［指圧器具１の全体の構成］
第１実施の形態に係る指圧器具１は、例えばマッサージを行う施術者の右手又は左手の一方に装着され、そのマッサージを受ける被施術者の肩、背中、腰等の各部位における経穴（ツボ）を指圧するために使用される器具である。図１〜図３に示されるように、指圧器具１は、装着体２と、指圧体３とを備える。後述の図９に示されるように、装着体２は、指圧体３を保持しつつ、例えば右手又は左手の一方に装着される部材である。一方、指圧体３は、装着体２に取り付けられ、使用時に被施術者の経穴を押圧する部材である。
【００２６】
［装着体２の構成］
装着体２は、矢印Ｘ方向を長手方向とし、矢印Ｙ方向を幅方向とし、矢印Ｚ方向を厚さ方向とするシート状の部材である。装着体２は手に巻き回して装着するため、装着体２の長手方向の長さ寸法は例えば２３０ｍｍ〜２４０ｍｍに設定されている。
【００２７】
装着体２の長手方向一端部（請求項における「第１端部」に相当する）としての領域２１では、図１及び図２に示されるように、幅寸法Ｗ１が例えば１１０ｍｍ〜１２０ｍｍに設定されている。この領域２１には、図１〜図３に示されるように、第１貫通穴２１１が配設されている。第１貫通穴２１１は、例えば領域２１の中央部分に形成され、厚さ方向に貫通して形成されている。ここでは、図１及び図２に示されるように、平面視において、第１貫通穴２１１の開口形状は略円形状に形成されている。第１貫通穴２１１には指圧体３が取り付けられる。具体的には、指圧体３の軸方向他端部として形成された指圧部位３２（請求項における「突起部」に相当する）が、図３に示される装着体２の裏面Ｓ１側から第１貫通穴２１１を通して表面Ｓ２側へ通されて、指圧体３が第１貫通穴２１１に取り付けられる。
【００２８】
図１及び図２に示されるように、領域２１においては、更に第１貫通穴２１１の周囲に沿って複数の第２貫通穴２１２、第２貫通穴２１３及び第２貫通穴２１４が配設されている。第２貫通穴２１２は、第１貫通穴２１１から長手方向一端側へ離間されて配設され、厚さ方向に貫通して形成されている。第２貫通穴２１２は装着体２を手に装着する際に親指を通す穴として使用されている（図９参照）。ここでは、平面視において、第２貫通穴２１２の開口形状は略円形状に形成されている。
【００２９】
第２貫通穴２１３及び第２貫通穴２１４は、第１貫通穴２１１から矢印Ｙ方向側である幅方向へ離間されて配設され、厚さ方向に貫通して形成されている。第２貫通穴２１３は装着体２を手に装着する際に人差し指を通す穴として使用されている。第２貫通穴２１４は、第２貫通穴２１３と同様に、第１貫通穴２１１から幅方向へ離間されて配設され、かつ、第２貫通穴２１３から矢印Ｘ方向とは反対側の長手方向へ離間して配設され、厚さ方向に貫通して形成されている。第２貫通穴２１４は装着体２を手に装着する際に中指を通す穴として使用されている。ここでは、平面視において、第２貫通穴２１３、第２貫通穴２１４の開口形状はいずれも略円形状に形成されている。
【００３０】
なお、第１実施の形態では、複数として３つの第２貫通穴２１２〜２１４が領域２１に配設されているが、第２貫通穴２１２と、第２貫通穴２１３又は第２貫通穴２１４との２つが領域２１に配設されてもよい。また、領域２１には、薬指若しくは小指を通す４つ以上の第２貫通穴を配設してもよい。
【００３１】
装着体２の長手方向他端部（請求項に係る「第２端部」に相当する）としての領域２２では、図１〜図３に示されるように、長手方向他端に近い位置に第３貫通穴２２１が配設されている。第３貫通穴２２１は第２貫通穴２１２と同様に厚さ方向に貫通して形成され、ここでは、第３貫通穴２２１の開口形状は第２貫通穴２１２と同様に略円形状に形成されている。第１実施の形態では、第３貫通穴２２１は親指を通す穴として使用されている。つまり、第２貫通穴２１２に親指、第２貫通穴２１３に人差し指、第２貫通穴２１４に中指をそれぞれ通して装着体２の領域２１を手の平に配置し、領域２２を手の甲に巻き回して第３貫通穴２２１に親指を再度通すことにより、手に装着体２を装着することができる。
【００３２】
第３貫通穴２２１の周囲であって、装着体２の領域２２の長手方向他端側には掴み部２２２が配設されている。掴み部２２２は領域２２に一体に連続して形成され、図１及び図２に示されるように、平面視において第３貫通穴２２１側を底辺とする二等辺三角形状に形成されている。掴み部２２２は、装着体２の長手方向他端部を掴み、手の甲に巻き回して、第３貫通穴２２１を親指に通す際に使用される。
【００３３】
図１〜図３に示さるように、装着体２の領域２１と領域２２との間には、領域２１、領域２２のそれぞれに一体に連続して形成された長手方向中間部（請求項における「中間部」に相当する）としての領域２３が配設されている。領域２３は、領域２１の幅寸法Ｗ１に比し、最も広い部位でも狭い幅寸法Ｗ２、例えば５０ｍｍ〜６０ｍｍに設定されている。なお、領域２２は、領域２３の幅寸法Ｗ２に比し、特に第３貫通穴２２１が配設された部位では狭い幅寸法に設定されている。図１及び図２に示されるように、装着体２の全体の輪郭形状は、平面視において、長手方向へ延びる領域２１の一部、領域２３及び領域２２と、幅方向へ延びる領域２１の他の一部とを有するＬ字形状に形成されている。そして、領域２３には、装着体２の長手方向の長さを伸縮可能とする長さ調整部２３０が配設されている。
【００３４】
ここで、第１実施の形態では、装着体２として軟質プラスチック、具体的にはシリコン樹脂が使用されている。図３に示されるように、装着体２は、領域２１の厚さ寸法ｔ１、領域２２の厚さ寸法ｔ２を例えば１．７ｍｍ〜１．９ｍｍに設定したシートをベースとして形成されている。また、第２貫通穴２１２の矢印Ｘ方向側の周囲の一部、第２貫通穴２１３及び第２貫通穴２１４の矢印Ｙ方向側の周囲の一部、第３貫通穴２２１の周囲のそれぞれにおいて、装着体２は、厚さ寸法ｔ１、厚さ寸法ｔ２のそれぞれに比し、厚く形成されている。これらの部位には、力が加わるので、装着体２が部分的に肉厚に形成されている。例えば、これらの部位の厚さ寸法は例えば２．７ｍｍ〜２．９ｍｍに設定されている。
加えて、第１貫通穴２１１の周囲において、装着体２は、かなり大きな力が加わるので、更に肉厚に、例えば３．４ｍｍ〜３．６ｍｍの厚さに設定されている。なお、軟質プラスチックとしては、エラストマー樹脂も使用することができる。また、装着体２としては、天然ゴム若しくは合成ゴム、又は不織布を使用することができる。
【００３５】
図１及び図２に戻って、長さ調整部２３０は、ここでは２つの第４貫通穴２３１及び第４貫通穴２３２を含んで構成されている。第４貫通穴２３１、第４貫通穴２３２は、幅方向に離間され、いずれも領域２３を厚さ方向に貫通して形成されている。第４貫通穴２３１、第４貫通穴２３２の平面形状は、それぞれ矢印Ｘ方向を長軸とする楕円形状に形成され、装着体２の長手方向への伸縮を容易にする形状に形成されている。表現を代えれば、領域２３の幅寸法Ｗ２は、第４貫通穴２３１及び第４貫通穴２３２を配設することによって肉抜きされるので、第４貫通穴２３１及び第４貫通穴２３２の短軸方向の長さに相当する分、実効的に縮小されている。勿論、領域２３の実効的な幅は領域２１の幅に比し狭くなっている。つまり、長さ調整部２３０では、領域２３の実効的な幅寸法が小さくなるので、装着体２の長手方向への伸縮が容易になる。
【００３６】
また、長さ調整部２３０は、図３に示さるように、領域２３の厚さ寸法ｔ３を領域２１の厚さ寸法ｔ１、領域２２の厚さ寸法ｔ２のそれぞれに比し薄く設定することによっても構成されている。厚さ寸法ｔ３は例えば０．７ｍｍ〜０．９ｍｍに設定されている。
【００３７】
図１〜図３に示されるように、領域２２の領域２３側には表記部２２３が配設されている。表記部２２３は、例えば製品名、製造会社名等の情報を表記可能としている。この種の情報は、装着体２の表面Ｓ２に、成形金型からの転写により、又は成形後の印刷により表記可能である。
【００３８】
［指圧体３の構成］
図４Ａ及び図４Ｂに示されるように、指圧体３は、基底部３１と、指圧部位３２とを含んで構成されている。
【００３９】
基底部３１は、矢印Ｚ方向を軸方向として、矢印Ｚ方向とは反対側の軸方向一端部に配設され、装着体２の第１貫通穴２１１の穴径（図８に示される寸法ｒ３。請求項における「第１の径」に相当する）よりも拡径（図８に示される寸法ｒ１。請求項における「第２の径」に相当する）された円板状に形成されている。基底部３１の底面は、軸中心から指圧部位３２の外径（図８に示される寸法ｒ２。請求項における「第３の径」に相当する）部分まで平面に形成され、外径を越えると周端に近づくほど基底部３１の肉厚が薄くなる傾斜面に形成されている。表現を代えれば、基底部３１の底面の外径を越えた周辺はテーパ面に形成されている。基底部３１の上面も同様に、指圧部位３２の外径を越えた周辺は周端に近づくほど肉厚が薄くなる傾斜面に形成されている。
【００４０】
指圧部位３２は、指圧体３の基底部３１から軸方向他端側に向けて立設され、軸方向他端側の先端部分が軸方向他端側へ突出する半球形状に形成されている。指圧部位３２は、装着体２の裏面Ｓ１側から第１貫通穴２１１（図１〜図３参照）に挿通されて装着体２の表面Ｓ２側へ突出するように構成されている。
【００４１】
ここで、第１実施の形態において、基底部３１と指圧部位３２とを一体に連続させて指圧体３が形成されている。指圧体３として、木工旋盤を用いて削り出した木材が使用されている。木材は、木目模様、色合い、香り等を醸し出せるので、リラクゼーションにおいても指圧体３に最適な材料である。さらに、木材を使用することによって、木材の産地のアピールをすることができる。
また、指圧体３としては、接着剤を用いて木片を固めた木材、硬質プラスチック、軟質プラスチック若しくは金属、又はそれらの２種以上を組み合わせた材料を使用することができる。この種の材料は、成形法を用いて量産可能であるため、指圧器具１の製作費を削減可能である。
【００４２】
図４Ｂに示されるように、指圧体３は、基底部３１の軸方向一端側の表面から軸方向他端側の指圧部位３２に至るまで延在された穴３３を有し、図５Ａ、図５Ｂ及び図６に示されるように、穴３３には芯材３４が挿入されている。穴３３は、止め穴として実効的に同一の内径に形成され、軸方向一端部の基底部３１においては拡径されている。
芯材３４は、特に符号を付けて説明しないが、軸方向を高さ方向とする円筒形状に形成され、軸方向一端部には拡径させた円板部位を有する。この芯材３４は、穴３３の内部に嵌め込まれ、指圧体３の全体の機械的強度を向上させている。
【００４３】
芯材３４としては、木材、硬質プラスチック、軟質プラスチック若しくは金属、又はそれらの２種以上を組み合わせた材料により形成されている。芯材３４は指圧体３と同一材料により形成されている。なお、芯材３４は指圧体３に対して異種材料により形成してもよい。
【００４４】
ここで、前述の通り、指圧体３は装着体２の第１貫通穴２１１に取り付けられるが、図７に示されるように、装着体２の領域２１には、第１貫通穴２１１を取り囲む周辺部分と、周辺部分以外のベース部分とが含まれている。周辺部分の厚さはベース部分の厚さよりも薄く形成され、周辺部分の厚さは第１貫通穴２１１の開口縁に近づくほど薄く形成されている。つまり、周辺部分は、表面Ｓ２においてベース部分の表面に対して傾斜した傾斜面ｔｓを形成し、更に裏面Ｓ１においてベース部分の裏面に対して傾斜した傾斜面ｔｓを形成している。
傾斜面ｔｓは、第１実施の形態において、表面Ｓ２、裏面Ｓ１の双方に形成されている。なお、例えば一方の手に専用に（例えば右手専用に）装着される指圧器具１とされる場合には、第１貫通穴２１１に指圧体３の指圧部位３２の挿入を開始する側において、周辺部分に傾斜面ｔｓが形成されていればよい。
つまり、第１貫通穴２１１は、領域２１の裏面Ｓ１側に断面形状が台形状の凹部、表面Ｓ２側に断面形状が逆台形状の凹部をそれぞれ形成し、厚さ寸法ｔ４に肉厚が薄くなった部位を貫通して形成されている。厚さ寸法ｔ４は例えば０．６ｍｍ〜０．７ｍｍに設定されている。
【００４５】
そして、図８に示されるように、指圧体３の指圧部位３２の外径（ｒ２）は、基底部３１の外径（ｒ１）よりも小さく、装着体２の第１貫通穴２１１の内径（ｒ３）よりも大きく形成されている。装着体２は前述の通り例えばシリコン樹脂により形成されると弾力性を有しているので、指圧部位３２は、弾性力に抗して第１貫通穴２１１の開口縁を押し広げた状態において取り付けられる。つまり、装着体２が持つ弾性力によって、第１貫通穴２１１に取り付けられた指圧体３は装着体２に保持される構成とされている。
【００４６】
［指圧器具１の装着方法並びに使用方法］
図１〜図３に示される指圧器具１は、装着体２の第１貫通穴２１１に指圧体３が取り付けられた状態にある。この指圧器具１は、一方の手、例えば右手に装着する場合、まず第２貫通穴２１２に親指、第２貫通穴２１３に人差し指、第２貫通穴２１４に中指をそれぞれ通して、指圧体３の基底部３１を手の平に接触させる状態に配置される（図９参照）。引き続き、装着体２の掴み部２２２を掴んで、装着体２の領域２２を手の甲に巻き回し、第３貫通穴２２１に親指を通すと、図９に示されるように、右手に指圧器具１が装着される。
【００４７】
右手に装着された状態の指圧器具１では、丁度、親指の根本、すなわち拇指球のあたりに指圧体３の基底部３１が配置される。そして、肩、背中、腰等の経穴に指圧体３の指圧部位３２をあてて基底部３１を押し込むことにより、経穴に指圧力を与えることができる。しかも、基底部３１が手の拇指球のあたりに配置されているので、指圧体３が押し易く、指圧体３に加える指圧力を調整し易く、例えば経穴に強い指圧力をピンポイントにおいて加えることが可能となる。
【００４８】
また、指圧を終了した後、装着手順の逆の手順を行えば、指圧器具１を右手から簡単に取り外すことができる。
さらに、指圧器具１は、装着体２の表面Ｓ２側から指圧体３を取り付ければ、左手に装着可能となる。
【００４９】
［作用効果］
【００５０】
第１実施の形態に係る指圧器具１は、図１〜図３に示されるように、装着体２に第１貫通穴２１１を通して指圧体３が取り付けられる。図９に示されるように、この指圧器具１は例えば右手（又は左手）に装着される。手の幾つかの指が第２貫通穴２１２〜第２貫通穴２１４に通されると、装着体２の領域２１が指圧体３の基底部３１を介在させて手の平に配置される。装着体２の領域２２を手の甲に巻き回し、第３貫通穴２２１にいずれかの指（ここでは親指）を通すと、装着体２が手に巻き付けられて手に装着され、指圧体３の指圧部位３２が手の平から突出する状態とされる。指圧体３の指圧部位３２が肩、背中、腰等の経穴に当てられ、手に力を加えると、経穴を指圧することができる。
このため、経穴をピンポイントに指圧することができる指圧器具１を提供することができる。
【００５１】
また、図９に示されるように、指圧器具１は、指圧体３の周囲に配設された複数の第２貫通穴２１２〜第２貫通穴２１４のそれぞれに指を通した状態において装着され、指圧体３の周囲の複数個所により指圧体３を保持する。このため、指圧体３に指圧力を与えても、手に対して指圧体３の取り付け位置にズレを生じることがなくなるので、経穴をピンポイントに指圧することができる。
【００５２】
さらに、図１〜図３に示されるように、指圧器具１は、装着体２と指圧体３とを含み、実効的に２つの部品により形成されているので、指圧器具１の構造が簡易であり、指圧器具１の製作費用を減少させることができる。
【００５３】
また、指圧器具１では、図１〜図３に示されるように、長さ調整部２３０が配設されているので、装着体２の長手方向の長さを伸縮可能とし、手の大きさに対応させて装着体２の長手方向の長さを調整することができる。このため、装着体２を手にフィットさせることができるので、指圧体３に指圧力を与えても、手に対して指圧体３の取り付け位置にズレを生じることがなくなり、経穴をピンポイントに指圧することができる。
【００５４】
さらに、指圧器具１では、図３に示されるように、長さ調整部２３０の厚さ寸法ｔ３が薄く形成されているので、長さ調整部２３０での長手方向の長さが容易に伸縮可能になる。このため、装着体２を手にフィットさせることができ、指圧体３に指圧力を与えても、手に対して指圧体３の取り付け位置にズレを生じることがなくなるので、経穴をピンポイントに指圧することができる。
【００５５】
また、指圧器具１では、図１及び図２に示されるように、長さ調整部２３０に第４貫通穴２３１及び第４貫通穴２３２が配設され、長さ調整部２３０での長手方向の長さが容易に伸縮可能になる。このため、装着体２を手にフィットさせることができ、指圧体３に指圧力を与えても、手に対して指圧体３の取り付け位置にズレを生じることがなくなるので、経穴をピンポイントに指圧することができる。
【００５６】
さらに、指圧器具１では、図１及び図２に示されるように、長さ調整部２３０の幅寸法Ｗ２が狭く形成されているので、長さ調整部２３０での長手方向の長さが容易に伸縮可能になる。このため、装着体２を手にフィットさせることができ、指圧体３に指圧力を与えても、手に対して指圧体３の取り付け位置にズレを生じることがなくなるので、経穴をピンポイントに指圧することができる。
【００５７】
。
また、指圧器具１では、図７に示されるように、装着体２の領域２１において第１貫通穴２１１を取り囲む周辺部分が薄く形成されているので、周辺部分を変形させ易く、第１貫通穴２１１に指圧体３を取り付け易くすることができる。
【００５８】
さらに、指圧器具１では、装着体２の第１貫通穴２１１の周辺部分の厚さが第１貫通穴２１１に近づくほど薄く形成され、周辺部分の表面（Ｓ２）、裏面（Ｓ１）の少なくとも一方が傾斜している（傾斜面ｔｓを有する）ので、装着体２の第１貫通穴２１１へ指圧体３を案内する構造が形成される。このため、第１貫通穴２１１を通して装着体２にスムーズに取り付けられる。
【００５９】
さらに、指圧器具１では、図４Ａ、図４Ｂ及び図６に示されるように、指圧体３の指圧部位３２の先端部分が半球形状に形成されているので、指圧体３の基底部３１に加えた力が経穴に点状に加わり、経穴に指圧力を効果的に伝えることができる。
【００６０】
また、指圧器具１では、図４Ｂ、図５Ａ、図５Ｂ及び図６に示されるように、指圧体３は、基底部３１に穴３３を有し、この穴３３に芯材３４を挿入しているので、芯材３４により指圧体３の機械的強度を向上させることができる。
例えば、木目模様、色合い、香り等を醸し出せる木材を用いて指圧体３を形成し、芯材３４に木材に比し機械的強度が高いプラスチックや金属を使用すれば、全体として指圧体３の機械的強度を向上させることができる。高価な木材の場合には、木材を節約することができる。
【００６１】
さらに、指圧器具１では、図８に示されるように、指圧体３の指圧部位３２の外径（ｒ２）が、第１貫通穴２１１の内径（ｒ３）よりも大きく、基底部３１の外径（ｒ１）よりも小さい。このため、指圧体３の指圧部位３２を第１貫通穴２１１の開口縁に嵌め込むことができ、装着体２に簡単に指圧体３を保持することができる。
【００６２】
また、指圧器具１では、図１及び図２に示されるように、第３貫通穴２２１の周囲であって装着体２の領域２２に掴み部２２２が配設されているので、掴み部２２２を掴んで装着体２の領域２２の装着操作を容易に行うことができる。例えば、装着体２の領域２２を手の甲に巻き回し、第３貫通穴２２１に親指を通す操作が、掴み部２２２を利用して容易に行える。
【００６３】
さらに、指圧器具１では、図１〜図３に示される装着体２が軟質プラスチック又は不織布により形成されているので、装着体２は適度な弾力性を有し、例えば手にフィットさせた状態において装着体２を装着させることができる。
また、軟質プラスチック又は不織布は、安価な材料であり、加工性にも優れているので、指圧器具１の製作費用を減少させることができ、指圧器具１の量産化を図ることができる。
【００６４】
また、指圧器具１では、図１〜図３に示される指圧体３が木材により形成されることにより、指圧体３に木目模様、色合い、香り等を醸し出せるので、指圧効果を向上させることができる。
さらに、指圧体３が硬質プラスチック、軟質プラスチック又は金属により形成されることにより、安価な材料であり、加工性にも優れているので、指圧器具１の製作費用を減少させることができ、指圧器具１の量産化を図ることができる。
【００６５】
＜２．第２実施の形態＞
第２実施の形態に係る指圧器具１は、基本的には図１〜図３に示される第１実施の形態に係る指圧器具１と同様に、装着体２と、指圧体３とを含んで構成されている。第２実施の形態では、図１０に示されるように、指圧体３の指圧部位３２（請求項における「突起部」に相当する）の形状が、第１実施の形態における指圧部位３２の形状に対して違いを有する。
【００６６】
すなわち、指圧体３は、指圧部位３２を円錐台形状に形成している。
【００６７】
このように構成される指圧器具１では、図１０に示されるように、指圧体３の指圧部位３２が円錐台形状に形成されているので、指圧体３の基底部３１に加えた力が経穴に面状に加わり、経穴及びその周囲に指圧力を効果的に伝えることができる。
【００６８】
以上、実施の形態や変形例を挙げて本開示を説明したが、本開示は上記実施の形態等に限定されるものではなく、本開示では種々の変形が可能である。例えば、上記実施の形態において説明した各構成要素の材料、配置等は一例であって、上記説明に限定されるものではない。
また、上記実施の形態に係る指圧器具の指圧体は、指圧部位を半球形状、円錐台形状のそれぞれに形成しているが、例えば円錐台形状の上面に複数の半球形状の突起を有する指圧部位としてもよい。
【符号の説明】
【００６９】
１…指圧器具、２…装着体、２１…領域（第１端部）、２２…領域（第２端部）、２３…領域、２１１…第１貫通穴、２１２、２１３、２１４…第２貫通穴、２２１…第３貫通穴、２２２…掴み部、２３０…長さ調整部、２３１、２３２…第４貫通穴、３…指圧体、３１…基底部、３２…指圧部位（突起部）、３３…穴、３４…芯材。
【図１】
0003231111.tif 000003
【図２】
0003231111.tif 000004
【図３】
0003231111.tif 000005
【図４Ａ】
0003231111.tif 000006
【図４Ｂ】
0003231111.tif 000007
【図５Ａ】
0003231111.tif 000008
【図５Ｂ】
0003231111.tif 000009
【図６】
0003231111.tif 000010
【図７】
0003231111.tif 000011
【図８】
0003231111.tif 000012
【図９】
0003231111.tif 000013
【図１０】
0003231111.tif 000014